(57)【特許請求の範囲】
【請求項１】
コア部を所定高さに構築し、該コア部の構築作業と並行あるいは前後して中間仮設支柱を立設し、該中間仮設支柱に関して上記コア部の反対側に位置する基盤から該コア部の上端部に向けて斜材を建て込むと共に該斜材を上記中間仮設支柱の頂部に接続固定し、上記コア部の基部から上記斜材と交差するように斜めトラスを建て込むと共に上記中間仮設支柱の頂部に接続固定し、上記斜材や斜めトラスの建て込み作業と並行あるいは前後して上記斜材の基部付近から端部仮設支柱を立設してその頂部に上記斜めトラスの上端部を接続固定し、さらに上記コア部の上端部と斜めトラスの上端部の間にトラス梁を組み付け、該トラス梁の上部に上屋を構築し、最後に上記中間仮設支柱および端部仮設支柱の頂部を上記斜材および斜めトラスから切り離して撤去することを特徴とする建築構造物の構築方法。
【請求項２】
上記中間仮設支柱あるいは上記端部仮設支柱の頂部にジャッキボックスを設けて介挿部材を介して上記斜材あるいは斜めトラスを接続固定し、上記切り離し撤去作業の際に、上記ジャッキボックスの間にジャッキおよびキャンバーを設置して、該ジャッキを伸縮操作しながら上記介挿部材の背丈およびキャンバーの枚数を交互に順次低くあるいは減じて切り離しを行うことを特徴とする請求項１に記載の建築構造物の構築方法。
【請求項３】
上記斜めトラスを地組みする際に足場を取り付けることを特徴とする請求項１に記載の建築構造物の構築方法。
【発明の詳細な説明】
【０００１】
【産業上の利用分野】
本発明は、建築構造物、特に大規模な片持梁形式の建築構造物を構築する方法に関する。
【０００２】
【従来の技術】
一般に、大規模な片持梁形式の建築構造物は、梁状建築部分の下方にこれを支持するための構造物を構築する土地や空間が確保できない場合や、博覧会等のイベント会場に斬新な建築物として構築される場合が多く、不安定な構造であるため、特に構築方法に工夫を要する。
【０００３】
従来、この種の建築構造物の構築方法としては、仮設の支柱や構台により支持しながら１部材ずつ組み立てる工法が採用されていた。
【０００４】
【発明が解決しようとする課題】
しかしながら、上記従来の構築方法は、次のような解決すべき課題を有している。
１）途中段階の架構が非常に不安定になり、また、小部材を高所で組み立てるので、作業能率が悪く、しかも建物の精度を確保することが難しい。
２）仮設支柱頂部と建築構造物との取合い部や仮設支柱脚部にピンローラーを設けているため、水平力を負担することができず、その結果、架構が不安定になり易い。従って、水平力を負担するためのトラワイヤー等を張る場所が確保できない場合が多い。
３）斜材により梁状建築部分を支持させる場合が多いが、該斜材の組み立て及び組み付け作業用の吊足場が設置し難い。
【０００５】
本発明は、上記従来の課題を解決するためになされたもので、その目的とするところは、建方中の架構を特に風や地震時の水平力に対して安定させると共に、施工精度を高めることができ、特に斜めトラス用の足場の取付・撤去作業の安全性と、該足場による構築（本締・溶接・塗装等）作業の安全性や作業能率を向上させることができる建築構造物の構築方法を提供することにある。
【０００６】
【課題を解決するための手段】
本発明の建築構造物の構築方法は、コア部を所定高さに構築し、該コア部の構築作業と並行あるいは前後して中間仮設支柱を立設し、該中間仮設支柱に関して上記コア部の反対側に位置する基盤から該コア部の上端部に向けて斜材を建て込むと共に該斜材を上記中間仮設支柱の頂部に接続固定し、上記コア部の基部から上記斜材と交差するように斜めトラスを建て込むと共に上記中間仮設支柱の頂部に接続固定し、上記斜材や斜めトラスの建て込み作業と並行あるいは前後して上記斜材の基部付近から端部仮設支柱を立設してその頂部に上記斜めトラスの上端部を接続固定し、さらに上記コア部の上端部と斜めトラスの上端部の間にトラス梁を組み付け、該トラス梁の上部に上屋を構築し、最後に上記中間仮設支柱および端部仮設支柱の頂部を上記斜材および斜めトラスから切り離して撤去することを特徴とする。上記コア部は、鉄骨造、鉄筋コンクリート造、鉄骨鉄筋コンクリート造等いずれの構造であってもよい。また、上記中間仮設支柱あるいは上記端部仮設支柱の頂部にジャッキボックスを設けて介挿部材を介して上記斜材あるいは斜めトラスを接続固定し、上記切り離し撤去作業の際に、上記ジャッキボックスの間にジャッキおよびキャンバーを設置して、該ジャッキを伸縮操作しながら上記介挿部材の背丈およびキャンバーの枚数を交互に順次低くあるいは減じて切り離しを行うことも特徴とする。さらに、上記斜めトラスを地組みする際に足場を取り付けることも特徴とする。
【０００７】
【実施例】
以下、本発明の一実施例について図面を参照しながら説明する。
図１において、１は鉄骨コア部であって、トラス梁２の支持基端部２ａを支持する。該鉄骨コア部１は、エレベータや非常階段等の移動用空間、及び設備配管等のサービス空間を提供する。１ａは上記鉄骨コア部１の基礎部である。上記トラス梁２の上部には、上屋３が構築されている。該上屋３は展望室やレストラン等の使用目的に応じた利用空間を提供する。なお、上記鉄骨コア部１は、これに限定するものではなく、鉄筋コンクリートコア部、鉄骨鉄筋コンクリートコア部等であってもよい。
【０００８】
４は斜めトラスであって、上記鉄骨コア部１の基部とトラス梁２の自由先端部２ｂとの間に斜めに建込まれ、上記トラス梁２及び上屋３の自由先端部を支持している。５はパイプ等より成る斜材であって、上記斜めトラス４の中間部と交差して、これに一体的に連結されると共に、その上端部は上記鉄骨コア部１の上端部に連結するように建込まれている。Ｇは基盤である。
【０００９】
次に、上記実施例の建築構造物の構築方法について説明する。まず、図２に示すように、鉄骨コア部１を低層部から構築する。本実施例においては、鉄骨コア部１の各節部分を地組して、１節ずつ吊り上げて組み上げ接続することにより構築する。該鉄骨コア部１の構築作業と並行あるいは前後して中間仮設支柱６を設置する。
【００１０】
続いて、図３に示すように、上記斜材５の下半部を建て込む。該斜材５の基部は上記基盤Ｇに定着せしめ、上部は上記中間仮設支柱６の頂部に支持せしめる。
【００１１】
さらに、図４に示すように、上記斜めトラス４の下半部を建て込む。該斜めトラス４の基部は上記鉄骨コア部１の基部に連結せしめ、上部は上記中間仮設支柱６の頂部に支持せしめる。
【００１２】
図５は、上記中間仮設支柱６の頂部における、上記斜材５と斜めトラス４の支持状態を示すもので、これらの斜材５と斜めトラス４の交差連結部分の下側にジョイント部材６ａを一体的に取り付け、該ジョイント部材６ａを、上記中間仮設支柱６の頂部に一体的に取り付けたジャッキボックス６ｂにより支持している。図６に拡大して示すように、これらのジャッキボックス６ｂとジョイント部材６ａの間には、Ｈ型鋼からなる介挿部材６ｃが介挿されている。該介挿部材６ｃは、ボルト等の固定金具により取外し可能に取り付けられている。
【００１３】
再び、図４において、７は端部仮設支柱であって、上記中間仮設支柱６を中心に上記鉄骨コア部１のほぼ対称位置に設置する。また、上記作業に並行あるいは前後して上記鉄骨コア部１の上部も構築する。
【００１４】
次に、図７に示すように、上記斜材５の上半部を建て込んで、その上端を上記鉄骨コア部１の上端部に接続する。また、上記斜めトラス４の上半部も建て込んで、その上端を上記端部仮設支柱７の上端部に接続する。該端部仮設支柱７の頂部と斜めトラス４との取合い部も、上記ジョイント部材６ａ、ジャッキボックス６ｂ、介挿部材６ｃと同様の構成により連結支持されている。
【００１５】
続いて、図８に示すように、上記鉄骨コア部１の上端部と斜めトラス４の上端部の間に、トラス梁２を構築して、それぞれ一体的に接続する。該トラス梁２上には上屋３を構築する。
【００１６】
上記建築構造物の構築が完了したら、上記中間仮設支柱６及び端部仮設支柱７を撤去する。例えば、上記中間仮設支柱６を撤去するには、まず、図９に示すように、上記ジャッキボックス６ｂの間にジャッキ８をセットして、キャンバー９を数枚（本実施例では４枚）載置しておく。
【００１７】
上記準備が完了したら、上記介挿部材６ｃをジョイント部材６ａから切り離してから、上記ジャッキ８を作動させて、図１０に示すように、上記キャンバー９を介してジョイント部材６ａを僅かに持ち上げる。その結果、上記介挿部材６ｃとジョイント部材６ａとの間には、僅かな隙間Ｓが形成される。
【００１８】
上記ジャッキアップした状態で、図１１に示すように、上記介挿部材６ｃをジャッキボックス６ｂから切り離して、撤去する。介挿部材６ｃを撤去したあとには、図１２に示すように、別の介挿部材６ｃ′をセットして、ジャッキダウウンする。上記介挿部材６ｃ′は上記介挿部材６ｃより背丈が低い。
【００１９】
次に、上記キャンバー９を１枚取り除いてから（本実施例では３枚にする）、再び、上記ジャッキ８を作動させて上記ジョイント部材６ａをジャッキアップし、図１３に示すように、上記介挿部材６ｃ′からジョイント部材６ａを浮かした状態で該介挿部材６ｃ′を撤去し、そのあとに、図１４に示すように、更に別の介挿部材６ｃ″を介挿させる。該介挿部材６ｃ″は上記介挿部材６ｃ′より更に背丈が低くなっている。
【００２０】
上記ジョイント部材６ａは、上記斜めトラス４や斜材５と一体となっているので、以上のジャッキダウン操作を数回繰り返すうちに、上記ジョイント部材６ａの降下が停止する。すなわち、ジョイント部材６ａはジャッキ８で支持しておく必要はなくなり、上記中間仮設支柱６から完全に切り離される。切り離された中間仮設支柱６は解体撤去する。なお、上記端部仮設支柱７も同様にジャッキダウン操作を繰り返して切り離した後、解体撤去する。
【００２１】
図１５は上記トラス梁４の作業用の足場１０の取付状態を示すもので、該トラス梁４の地組みの際に、これに斜め（本実施例では、約４５°）に取り付けられる。各足場１０は適宜間隔に平行に配置されていて、その一側端部は上部の足場１０から吊りチェーン１０ａにより保持されるようになっている。１０ｂは手摺、１１は安全ネットである。
【００２２】
【発明の効果】
１）斜材および斜めトラスを仮設支柱の頂部に接続固定して構築するので、特に水平力に対する架構が非常に安定し、構築作業の能率および精度が向上する。
２）ジャッキダウンを安定かつ能率良く行うことができる。
３）斜めトラスの足場を安全かつ能率良く組み付けることができる。
【図面の簡単な説明】
【図１】建築構造物の一実施例を示す側面図である。
【図２】図１の建築構造物の構築方法の説明図である。
【図３】図２に続く建築構造物の構築方法の説明図である。
【図４】図３に続く建築構造物の構築方法の説明図である。
【図５】中間仮設支柱による斜めトラスの支持状態の説明図である。
【図６】図５の要部の拡大説明図である。
【図７】図４に続く建築構造物の構築方法の説明図である。
【図８】図７に続く建築構造物の構築方法の説明図である。
【図９】中間仮設支柱による斜めトラスの支持部におけるジャッキダウンの説明図である。
【図１０】図９に続くジャッキダウンの説明図である。
【図１１】図１０に続くジャッキダウンの説明図である。
【図１２】図１１に続くジャッキダウンの説明図である。
【図１３】図１２に続くジャッキダウンの説明図である。
【図１４】図１３に続くジャッキダウンの説明図である。
【図１５】トラス梁の足場の取付状態を示す説明図である。
【符号の説明】
１  鉄骨コア部
１ａ  基礎部
２  トラス梁
２ａ  支持基端部
２ｂ  自由先端部
３  上屋
４  斜めトラス
５  斜材
６  中間仮設支柱
６ａ  ジョイント部材
６ｂ  ジャッキボックス
６ｃ  介挿部材
６ｃ′介挿部材
６ｃ″介挿部材
７  端部仮設支柱
８  ジャッキ
９  キャンバー
１０  足場
１０ａ  吊りチェーン
１０ｂ  手摺
１１  安全ネット
Ｇ  基盤
Ｓ  隙間
【図１】
0003546225.tif 000002
【図２】
0003546225.tif 000003
【図３】
0003546225.tif 000004
【図４】
0003546225.tif 000005
【図５】
0003546225.tif 000006
【図６】
0003546225.tif 000007
【図７】
0003546225.tif 000008
【図８】
0003546225.tif 000009
【図９】
0003546225.tif 000010
【図１０】
0003546225.tif 000011
【図１１】
0003546225.tif 000012
【図１２】
0003546225.tif 000013
【図１３】
0003546225.tif 000014
【図１４】
0003546225.tif 000015
【図１５】
0003546225.tif 000016